(57)【特許請求の範囲】
【請求項１】
光ネットワークユニットＯＮＵ精密時間同期プロトコルＰＴＰサービスをリモート設定する方法であって、該方法は、
ＯＮＵは、初期化を行った後に、ＰＴＰ管理エンティティを作成することと、
前記ＯＮＵは、ＯＬＴが送信した、前記ＯＬＴにより設定された前記ＰＴＰ管理エンティティ属性を受信することと、
前記ＯＮＵは、前記ＯＬＴが送信したＰＴＰ管理エンティティ属性を解析して、前記ＰＴＰ管理エンティティ属性に基づいて、対応するＰＴＰサービスの設定を行うことと、を含む光ネットワークユニットＯＮＵ精密時間同期プロトコルＰＴＰサービスをリモート設定する方法。
【請求項２】
前記ＯＮＵが作成したＰＴＰ管理エンティティの数は、１つ又は複数であり、かつ前記作成したＰＴＰ管理エンティティの数は、ＯＮＵがサポートするＰＴＰポートの数に関連する請求項１に記載の方法。
【請求項３】
ＯＮＵは、ＯＬＴが送信した、前記ＯＬＴにより設定された前記ＰＴＰ管理エンティティの操作タイプを受信し、前記操作タイプは、問い合わせ、設定、及び警告を含むことを更に含む請求項１又は２に記載の方法。
【請求項４】
システム運用過程において、ＰＴＰサービスタイプを変える必要があると、前記ＯＮＵは、前記ＯＬＴが送信した、前記ＯＬＴにより設定された新しいＰＴＰ管理エンティティ属性を受信することと、
前記ＯＮＵは、前記ＯＬＴが送信した新しいＰＴＰ管理エンティティ属性を解析して、前記新しいＰＴＰ管理エンティティ属性に基づいて、新しいＰＴＰサービスの設定を行うことと、を更に含む請求項１又は２に記載の方法。
【請求項５】
光ネットワークユニットＯＮＵ精密時間同期プロトコルＰＴＰサービスをリモート設定する方法であって、該方法は、
ＯＮＵは、初期化を行った後に、ＰＴＰ管理エンティティを作成することと、
ＯＬＴは、前記ＰＴＰ管理エンティティ属性を設定して、前記ＰＴＰ管理エンティティ属性を前記ＯＮＵに送信することと、
前記ＯＮＵは、前記ＰＴＰ管理エンティティ属性を受信して解析し、且つ前記ＰＴＰ管理エンティティ属性に基づいて、対応するＰＴＰサービスの設定を行うことと、を含む光ネットワークユニットＯＮＵ精密時間同期プロトコルＰＴＰサービスをリモート設定する方法。
【請求項６】
前記ＯＬＴは、前記ＰＴＰ管理エンティティの操作タイプを設定して、前記ＯＮＵに送信し、前記操作タイプは、問い合わせ、設定、及び警告を含むことを更に含む請求項５に記載の方法。
【請求項７】
システム運用過程において、ＰＴＰサービスタイプを変える必要があると、前記ＯＬＴは、新しいＰＴＰ管理エンティティ属性を設定して、前記ＯＮＵに送信することと、
前記ＯＮＵは、前記ＯＬＴが送信した新しいＰＴＰ管理エンティティ属性を受信して解析し、且つ前記新しいＰＴＰ管理エンティティ属性に基づいて新しいＰＴＰサービスの設定を行うことと、を更に含む請求項５又は６に記載の方法。
【請求項８】
光ネットワークユニットＯＮＵ精密時間同期プロトコルＰＴＰサービスをリモート設定する方法であって、該方法は、
ＯＬＴは、ＯＮＵが初期化して、ＰＴＰ管理エンティティを作成した後に、前記ＰＴＰ管理エンティティ属性を設定して、前記ＰＴＰ管理エンティティ属性を前記ＯＮＵに送信することを含み、
前記ＰＴＰ管理エンティティ属性は、前記ＯＮＵによって受信されて解析された後に、前記ＯＮＵが対応のＰＴＰサービス設定を行う依拠とされる光ネットワークユニットＯＮＵ精密時間同期プロトコルＰＴＰサービスをリモート設定する方法。
【請求項９】
前記ＯＬＴは、前記ＰＴＰ管理エンティティの操作タイプを設定して、前記ＯＮＵに送信し、前記操作タイプは、問い合わせ、設定、及び警告を含むことを更に含む請求項８に記載の方法。
【請求項１０】
システム運用過程において、ＰＴＰサービスタイプを変える必要があると、前記ＯＬＴは、新しいＰＴＰ管理エンティティ属性を設定して、前記ＯＮＵに送信することを更に含み、
前記新しいＰＴＰ管理エンティティ属性は、前記ＯＮＵによって受信されて解析された後に、前記ＯＮＵが新しいＰＴＰサービス設定を行う依拠とされる請求項８又は９に記載の方法。
【請求項１１】
光ネットワークユニットＯＮＵであって、前記ＯＮＵは、光ネットワーク端末管理制御インターフェイスＯＭＣＩプロトコル処理モジュールとＰＴＰ処理モジュールを備え、
前記ＯＭＣＩプロトコル処理モジュールは、ＯＮＵが初期化を行った後に、ＰＴＰ管理エンティティを作成し、ＯＬＴが送信した、前記ＯＬＴにより設定された前記ＰＴＰ管理エンティティ属性を受信して、解析するように設定され、
前記ＰＴＰ処理モジュールは、前記ＯＭＣＩプロトコル処理モジュールが解析して得られたＰＴＰ管理エンティティ属性に基づいて、対応するＰＴＰサービスの設定を行うように設定される光ネットワークユニットＯＮＵ。
【請求項１２】
前記ＯＭＣＩプロトコル処理モジュールは更に、ＯＬＴが送信した、前記ＯＬＴにより設定された前記ＰＴＰ管理エンティティの操作タイプを受信し、前記操作タイプは、問い合わせ、設定、及び警告を含むように設定される請求項１１に記載のＯＮＵ。
【請求項１３】
システム運用過程において、ＰＴＰサービスタイプを変える必要があると、前記ＯＭＣＩプロトコル処理モジュールは更に、前記ＯＬＴが送信した、前記ＯＬＴにより設定された新しいＰＴＰ管理エンティティ属性を受信して、解析するように設定され、
対応的に、前記ＰＴＰ処理モジュールは更に、前記ＯＭＣＩプロトコル処理モジュールが解析して得られた新しいＰＴＰ管理エンティティ属性に基づいて、新しいＰＴＰサービスの設定を行うように設定される請求項１１又は１２に記載のＯＮＵ。
【請求項１４】
ＯＮＵが初期化して、ＰＴＰ管理エンティティを作成した後に、前記ＰＴＰ管理エンティティ属性を設定するように設定されるＯＭＣＩプロトコル処理モジュール、及び
前記設定したＰＴＰ管理エンティティ属性を前記ＯＮＵに送信するように設定される送信モジュールを備え、
前記ＰＴＰ管理エンティティ属性は、前記ＯＮＵによって受信されて解析された後に、前記ＯＮＵが対応のＰＴＰサービス設定を行う依拠とされる光回線端末ＯＬＴ。
【請求項１５】
前記ＯＭＣＩプロトコル処理モジュールは更に、前記ＰＴＰ管理エンティティの操作タイプを設定するように設定され、
対応的に、前記送信モジュールは更に、前記設定したＰＴＰ管理エンティティの操作タイプを前記ＯＮＵに送信し、前記操作タイプは、問い合わせ、設定、及び警告を含むように設定される請求項１４に記載のＯＬＴ。
【請求項１６】
システム運用過程において、ＰＴＰサービスタイプを変える必要があると、前記ＯＭＣＩプロトコル処理モジュールは更に、新しいＰＴＰ管理エンティティ属性を設定するように設定され、
対応的に、前記送信モジュールは更に、前記新しいＰＴＰ管理エンティティ属性を前記ＯＮＵに送信するように設定され、
前記新しいＰＴＰ管理エンティティ属性は、前記ＯＮＵによって受信されて解析された後に、前記ＯＮＵが新しいＰＴＰサービス設定を行う依拠とされる請求項１４又は１５に記載のＯＬＴ。
【請求項１７】
請求項１１〜１３のいずれか１項に記載の光ネットワークユニットＯＮＵと請求項１４〜１６のいずれか１項に記載の光回線端末ＯＬＴとを備える、光ネットワークユニットＯＮＵ精密時間同期プロトコルＰＴＰサービスをリモート設定するシステム。
【発明の詳細な説明】
【技術分野】
【０００１】
本発明は、ギガビットパッシブ光ネットワーク(Gigabit Passive Optical Network、ＧＰＯＮ)の技術分野に関し、特に光ネットワークユニット(Optical Network Unit、ＯＮＵ)精密時間同期プロトコル(Precision Time Protocol、ＰＴＰ又は１５８８と略称する)サービスをリモート設定する方法、装置、及びシステムに関する。
【背景技術】
【０００２】
ＩＥＥＥ １５８８ ｖ２は、ネットワーク測定と制御システムの精密時間同期プロトコル、即ちＰＴＰ又は１５８８であり、周波数と位相との同期を実現できる。ＰＴＰにはマスタスレーブ(master/slave)同期方式を使用し、即ち、マスタスレーブ機器の間に、ネットワークデータパケット送信及び受信タイムスタンプの方式に基づいて、同期機能を完成する。ＧＰＯＮは、以下の方式によってクロックと時間との同期を完成することができ、即ち光回線端末(Optical Line Terminal、ＯＬＴ)上接続時間ソースは時間情報を取得し、再び時間情報をＯＮＵに伝達し、ＯＬＴとＯＮＵとの間の時間同期を完成する。ＯＮＵは、ＩＥＥＥ １５８８のマスタ機器として、新しいＰＴＰメッセージを生成し、イーサネットポートによって下側の１５８８スレーブ機器に送信し、このような方式によってＯＮＵ下接続スレーブ機器とＯＬＴ上接続時間ソース、即ちマスタ機器の間の時間同期を実現でき、具体的には図１に示す。無論、パッシブ光ネットワークＰＴＰサービスは、図１に示すようなアプリケーションシーンに制限されなく、その他のアプリケーションシーンであってもよい。
【０００３】
従来、ＯＮＵの１５８８設定は、主にTelnet又はシリアルポート方式によって完成する。その中、前記シリアルポートの方式によってはリモート設定を実現することができない。前記Telnet方式も一定の制限性があり、まずＯＮＵのためにＩＰアドレスを設定しなければならず、且つＯＮＵアドレスをPingトングすることができなければ、ＯＮＵ設定をログインすることができない。前記Ｐｉｎｇも１つの通信プロトコルに属し、ＴＣＰ/ＩＰプロトコルの一部である。
【０００４】
ＧＰＯＮ標準Ｇ.９８４.４は、光ネットワーク端末管理制御インターフェイス(ONT Management and Control Interface、ＯＭＣＩと略称する)を定義し、該標準はいくつかの管理エンティティ (Management Entity、ＭＥと略称する)と操作方法を定義し、前記ＯＭＣＩのＯＮＵ管理エンティティに対する操作によって、ＯＮＵの設定管理、故障管理、性能管理、及び安全管理を実現することができる。Ｇ.９８８は、また前記Ｇ.９８４.４を完備する。前記Ｇ.９８８は、管理エンティティＯＬＴ-Ｇのために時間情報(Time-of-day information)属性を増設し、ＯＬＴ-ＧエンティティによってＯＬＴ時間情報をＯＮＵに伝達することができ、ＯＬＴとＯＮＵとの間の時間同期を完成する。しかし、Ｇ.９８８は、ＩＥＥＥ １５８８サービスを設定する管理エンティティを定義しないため、前記ＯＭＣＩによってＯＮＵ １５８８サービスへのリモート設定を実現することができない。
【発明の概要】
【発明が解決しようとする課題】
【０００５】
従来における技術的課題を解決するために、本発明の実施例は、ＯＮＵ ＰＴＰサービスをリモート設定する方法、装置、及びシステムを提供する。
【課題を解決するための手段】
【０００６】
本発明の実施例は、ＯＮＵ ＰＴＰサービスをリモート設定する方法を提供し、該方法は、
ＯＮＵは、初期化を行った後に、ＰＴＰ管理エンティティを作成することと、
前記ＯＮＵは、ＯＬＴが送信した、前記ＯＬＴにより設定された前記ＰＴＰ管理エンティティ属性を受信することと、
前記ＯＮＵは、前記ＯＬＴが送信したＰＴＰ管理エンティティ属性を解析して、前記ＰＴＰ管理エンティティ属性に基づいて、対応するＰＴＰサービスの設定を行うこととを含む。
前記ＯＮＵが作成したＰＴＰ管理エンティティの数は、１つ又は複数である。
【０００７】
一つの実施例において、該方法は、
ＯＮＵは、ＯＬＴが送信した、前記ＯＬＴにより設定された前記ＰＴＰ管理エンティティの操作タイプを受信することを更に含む。
【０００８】
一つの実施例において、該方法は、
システム運用過程において、ＰＴＰサービスタイプを変える必要があると、前記ＯＮＵは、前記ＯＬＴが送信した、前記ＯＬＴにより設定された新しいＰＴＰ管理エンティティ属性を受信することと、
前記ＯＮＵは、前記ＯＬＴが送信した新しいＰＴＰ管理エンティティ属性を解析して、前記新しいＰＴＰ管理エンティティ属性に基づいて、新しいＰＴＰサービスの設定を行うこととを更に含む。
【０００９】
本発明の実施例は、ＯＮＵ ＰＴＰサービスをリモート設定する方法を更に提供し、該方法は、
ＯＮＵは、初期化を行った後に、ＰＴＰ管理エンティティを作成することと、
ＯＬＴは、前記ＰＴＰ管理エンティティ属性を設定して、前記ＰＴＰ管理エンティティ属性を前記ＯＮＵに送信することと、
前記ＯＮＵは、前記ＰＴＰ管理エンティティ属性を受信して解析し、且つ前記ＰＴＰ管理エンティティ属性に基づいて、対応するＰＴＰサービスの設定を行うこととを含む。
【００１０】
一つの実施例において、該方法は、
前記ＯＬＴは、前記ＰＴＰ管理エンティティの操作タイプを設定して、前記ＯＮＵに送信することを更に含む。
【００１１】
一つの実施例において、該方法は、
システム運用過程において、ＰＴＰサービスタイプを変える必要があると、前記ＯＬＴは、新しいＰＴＰ管理エンティティ属性を設定して、前記ＯＮＵに送信することと、
前記ＯＮＵは、前記ＯＬＴが送信した新しいＰＴＰ管理エンティティ属性を受信して解析し、且つ前記新しいＰＴＰ管理エンティティ属性に基づいて、新しいＰＴＰサービスの設定を行うこととを更に含む。
【００１２】
本発明の実施例は、ＯＮＵ ＰＴＰサービスをリモート設定する方法を更に提供し、該方法は、
ＯＬＴは、ＯＮＵが初期化して、ＰＴＰ管理エンティティを作成した後に、前記ＰＴＰ管理エンティティ属性を設定して、前記ＰＴＰ管理エンティティ属性を前記ＯＮＵに送信することを含み、
前記ＰＴＰ管理エンティティ属性は、前記ＯＮＵによって受信されて解析された後に、前記ＯＮＵが対応のＰＴＰサービス設定を行う依拠とされる。
【００１３】
一つの実施例において、該方法は、
前記ＯＬＴは、前記ＰＴＰ管理エンティティの操作タイプを設定して、前記ＯＮＵに送信することを更に含む。
【００１４】
一つの実施例において、該方法は、
システム運用過程において、ＰＴＰサービスタイプを変える必要があると、前記ＯＬＴは、新しいＰＴＰ管理エンティティ属性を設定して、前記ＯＮＵに送信することを更に含み、
前記新しいＰＴＰ管理エンティティ属性は、前記ＯＮＵによって受信されて解析された後に、前記ＯＮＵが新しいＰＴＰサービス設定を行う依拠とされる。
【００１５】
本発明の実施例は、ＯＮＵを更に提供し、前記ＯＮＵは、ＯＭＣＩプロトコル処理モジュールとＰＴＰ処理モジュールを備え、
前記ＯＭＣＩプロトコル処理モジュールは、ＯＮＵが初期化を行った後に、ＰＴＰ管理エンティティを作成し、ＯＬＴが送信した、前記ＯＬＴにより設定された前記ＰＴＰ管理エンティティ属性を受信して、解析するように設定され、
前記ＰＴＰ処理モジュールは、前記ＯＭＣＩプロトコル処理モジュールが解析して得られたＰＴＰ管理エンティティ属性に基づいて、対応するＰＴＰサービスの設定を行うように設定される。
【００１６】
前記ＯＭＣＩプロトコル処理モジュールは更に、ＯＬＴが送信した、前記ＯＬＴにより設定された前記ＰＴＰ管理エンティティの操作タイプを受信するように設定される。
【００１７】
システム運用過程において、ＰＴＰサービスタイプを変える必要があると、前記ＯＭＣＩプロトコル処理モジュールは更に、前記ＯＬＴが送信した、前記ＯＬＴにより設定された新しいＰＴＰ管理エンティティ属性を受信して、解析するように設定され、
対応的に、前記ＰＴＰ処理モジュールは更に、前記ＯＭＣＩプロトコル処理モジュールが解析して得られた新しいＰＴＰ管理エンティティ属性に基づいて、新しいＰＴＰサービスの設定を行うように設定される。
【００１８】
本発明の実施例は、ＯＬＴを更に提供し、前記ＯＬＴは、
ＯＮＵが初期化して、ＰＴＰ管理エンティティを作成した後に、前記ＰＴＰ管理エンティティ属性を設定するように設定されるＯＭＣＩプロトコル処理モジュールと、
前記設定されたＰＴＰ管理エンティティ属性を前記ＯＮＵに送信するように設定される送信モジュールと、を備え、
前記ＰＴＰ管理エンティティ属性は、前記ＯＮＵによって受信されて解析された後に、前記ＯＮＵが対応のＰＴＰサービス設定を行う依拠とされる。
【００１９】
前記ＯＭＣＩプロトコル処理モジュールは更に、前記ＰＴＰ管理エンティティの操作タイプを設定するように設定され、
対応的に、前記送信モジュールは更に、前記設定されたＰＴＰ管理エンティティの操作タイプを前記ＯＮＵに送信するように設定される。
【００２０】
システム運用過程において、ＰＴＰサービスタイプを変える必要があると、前記ＯＭＣＩプロトコル処理モジュールは更に、新しいＰＴＰ管理エンティティ属性を設定するように設定され、
対応的に、前記送信モジュールは更に、前記新しいＰＴＰ管理エンティティ属性を前記ＯＮＵに送信するように設定され、
前記新しいＰＴＰ管理エンティティ属性は、前記ＯＮＵによって受信されて解析された後に、前記ＯＮＵが新しいＰＴＰサービス設定を行う依拠とされる。
【００２１】
本発明の実施例は、ＯＮＵ ＰＴＰサービスをリモート設定するシステムを更に提供し、該システムは、上記に記載のＯＮＵとＯＬＴを備える。
【発明の効果】
【００２２】
本発明の実施例によるＯＮＵ ＰＴＰサービスをリモート設定する方法、装置、及びシステムでは、ＯＮＵは、初期化を行った後に、ＰＴＰ管理エンティティを作成し、ＯＮＵは、ＯＬＴが送信した、前記ＯＬＴにより設定されたＰＴＰ管理エンティティ属性を受信し、ＯＮＵは、前記ＯＬＴが送信したＰＴＰ管理エンティティ属性を解析して、前記ＰＴＰ管理エンティティ属性に基づいて、対応するＰＴＰサービスの設定を行う。本発明の実施例は、ＯＮＵがＧＰＯＮ登録、正常的なオンラインを完成して、ＯＭＣＩチャンネルを確立した後に、ＯＬＴ側にＯＮＵ精密時間同期サービスの設定を完成することができ、ＯＭＣＩによるＰＴＰサービスのリモート設定を実現する。且つ、ＯＮＵ帯域管理ＩＰ設定を必要とせず、ＩＰアドレスリソースを節約する。また、本発明の実施例に記載の設定方法は維持及び管理が容易であり、バッチ設定に便利である。
【図面の簡単な説明】
【００２３】
図面(必ずしも縮尺通りに描かれてはいない)では、類似する図面符号は、異なる図で類似する部材を説明したものである。異なるレターサフィックスを有する類似する図面符号は、類似部材の異なる例示を表したものである。図面は限定ではなく、例示的に本文で検討した各実施例を基本的に示す。
【図１】図１は、パッシブ光ネットワークＰＴＰサービスのシーン模式図の一つである。
【図２】図２は、本発明の実施例に記載のＯＮＵ ＰＴＰサービスをリモート設定する方法の実現フロー模式図である。
【図３】図３は、本発明の他の実施例に記載のＯＮＵ ＰＴＰサービスをリモート設定する方法の実現フロー模式図である。
【図４】図４は、本発明の他の実施例に記載のＯＮＵ ＰＴＰサービスをリモート設定する方法の実現フロー模式図である。
【図５】図５は、本発明の実施例に記載のＯＮＵの構造模式図である。
【図６】図６は、本発明の実施例に記載のＯＬＴの構造模式図である。
【図７】図７は、本発明の実施例に記載のシステムの構造模式図である。
【発明を実施するための形態】
【００２４】
本発明の実施例において、ＯＮＵは、初期化を行った後に、ＰＴＰ管理エンティティを作成し、ＯＮＵは、ＯＬＴが送信した、前記ＯＬＴにより設定された前記ＰＴＰ管理エンティティ属性を受信し、ＯＮＵは、前記ＯＬＴが送信したＰＴＰ管理エンティティ属性を解析して、前記ＰＴＰ管理エンティティ属性に基づいて、対応するＰＴＰサービスの設定を行う。
【００２５】
以下、図面及び具体的な実施例と結び付けながら、本発明について更に詳細に説明する。
【００２６】
図２は、本発明の実施例に記載のＯＮＵ ＰＴＰサービスをリモート設定する方法の実現フロー模式図であり、図２に示すように、下記ステップ２０１〜２０３を含む。
【００２７】
ステップ２０１：  ＯＮＵは、初期化を行った後に、ＰＴＰ管理エンティティを作成する。
例えば、ＯＮＵは起動して、内部のＯＭＣＩプロトコル処理モジュールとＰＴＰ処理モジュールの初期化を行った後に、前記ＯＭＣＩプロトコル処理モジュールは、ＰＴＰ管理エンティティを作成する。ここで、前記ＰＴＰ管理エンティティの作成方法には汎用の管理エンティティ作成方法を採用することができ、ここでは繰り返して説明しない。
ここで、前記ＯＮＵは、１つ又は複数のＰＴＰ管理エンティティを作成することができ、具体的にＯＮＵが作成したＰＴＰ管理エンティティの数は、ＯＮＵがサポートするＰＴＰポートの数に関連する。
【００２８】
ステップ２０２：  ＯＮＵは、ＯＬＴが送信した、前記ＯＬＴにより設定されたＰＴＰ管理エンティティ属性を受信する。
例えば、ＯＬＴ内部のＯＭＣＩプロトコル処理モジュールは、前記ＰＴＰ管理エンティティに対応する属性を設定して、Setメッセージによって前記ＰＴＰ管理エンティティの属性をＯＮＵに送信して受信する。
【００２９】
ステップ２０３：  ＯＮＵは、前記ＯＬＴが送信したＰＴＰ管理エンティティ属性を解析して、前記ＰＴＰ管理エンティティ属性に基づいて、対応するＰＴＰサービスの設定を行う。
例えば、ＯＮＵ内部のＯＭＣＩプロトコル処理モジュールは、前記ＯＬＴが送信した、前記ＰＴＰ管理エンティティ属性を含むSetメッセージを受信した後に解析し、ＰＴＰ管理エンティティ属性を取得し、ＰＴＰ処理モジュールは、前記ＯＭＣＩプロトコル処理モジュールが解析して得られたＰＴＰ管理エンティティ属性に基づいて、対応するＰＴＰサービスの設定を行う。ＯＮＵは、ＰＴＰサービス設定が成功であるか否かの結果を、ＯＭＣＩメッセージによってＯＬＴにフィードバックし、即ち、ＯＮＵ内部のＰＴＰ処理モジュールは、ＰＴＰサービス設定が成功であるか否かの結果を、ＯＭＣＩプロトコル処理モジュールによってＯＬＴにフィードバックする。
【００３０】
ここで、異なるＰＴＰサービスに対して、前記ＯＬＴが設定したＰＴＰ管理エンティティ属性は異なる。
【００３１】
本発明の実施例において、作成したＰＴＰ管理エンティティを、ＰＣＤと略称されるＰＴＰ config dataに設定することができ、無論、その他の名称に設定してもよい。表１に示すように、前記ＰＣＤに対応する管理エンティティクラス値(Managed entity class value)を４００に設定することができ、無論、Ｇ.９８８標準に予め予約したその他のエンティティ番号を選択することもできる。
【００３２】
【表１】
0006419947.tif 000002
【００３３】
前記ＯＬＴが設定したＰＴＰ管理エンティティの属性、即ちＰＣＤの属性は、ＰＴＰ管理エンティティ識別子、管理状態、ＰＴＰ状態、伝送タイプ、遠端ＭＡＣ、近端ＭＡＣ、近端ＩＰ、遠端ＩＰ、通信方式、ＴＣＩ、同期ステップ数、ＰＴＰ優先度、及びクロック品質を含む。
【００３４】
一つの実施例において、本発明の実施例に記載の方法は、ＯＮＵは、ＯＬＴが送信した、前記ＯＬＴにより設定された前記ＰＴＰ管理エンティティの操作タイプを受信することを更に含む。前記操作タイプは、問い合わせ(Get)、設定(Set)、及び警告(Alarm)を含む。
【００３５】
以下、上記ＰＴＰ管理エンティティの属性について説明する。
【００３６】
前記ＰＴＰ管理エンティティ識別子は、管理されたエンティティＩＤ(Managed entity id)であってもよく、該属性は、管理されたエンティティの各実例のための唯一な符号を提供する。該属性は読み取り可能で、管理エンティティを作成する際に設定され、強制的であり、２バイトで示される。
【００３７】
前記管理状態(Administrative state)では、該属性はポートＰＴＰサービスがオンにするか否かを表す。値１はオンを表し、値０はオフを表す。該属性は読み取り可能で、書き込み可能であり、管理エンティティを作成する際に設定され、強制的であり、１バイトで示される。
【００３８】
前記ＰＴＰ状態(PTP state)では、該属性はポートＰＴＰ状態を表し、値０はmasterを表し、値１はslaveを表し、値２はpassiveを表す。
該属性は読み取り可能で、管理エンティティを作成する際に設定され、強制的であり、１バイトで示される。
【００３９】
前記伝送タイプ(Transport type)では、該属性はＰＴＰサービスパッケージタイプを表す。
該属性は０ｘ１であると、ＩＥＥＥ Ｓｔｄ ８０２.３イーサネットパッケージを表し、
該属性は０ｘ２であると、ＵＤＰ/ＩＰｖ４パッケージを表し、
該属性は０ｘ３であると、ＵＤＰ/ＩＰｖ６パッケージを表し、
該属性は読み取り可能で、書き込み可能であり、管理エンティティを作成する際に設定され、強制的であり、１バイトで示される。
【００４０】
前記近端ＭＡＣ(Near-end MAC)では、１５８８サービスを伝送する際のソースＭＡＣアドレスである。
該属性は読み取り可能で、書き込み可能であり、管理エンティティを作成する際に設定され、強制的であり、６バイトで示される。
【００４１】
前記遠端ＭＡＣ(Far-end MAC)では、１５８８サービスを伝送する際の目的ＭＡＣアドレスである。
該属性は読み取り可能で、書き込み可能であり、管理エンティティを作成する際に設定され、強制的であり、６バイトで示される。
【００４２】
前記近端ＩＰ(Near-end IP)では、ＩＰに基づいて１５８８サービスを伝送する際に、該属性はＵＤＰ設定データの管理されたエンティティの１つの実例を指す。１５８８サービスがＩＰにおいて伝送されないと、デフォルト値０を使用する。該属性は読み取り可能で、管理エンティティを作成する際に設定され、ＩＰ伝送に対して強制的であり、２バイトで示される。
【００４３】
前記遠端ＩＰ(Far-end IP)では、ＩＰに基づいて１５８８サービスを伝送する際に、該属性はリモートエンドポイントを含むＩＰアドレスを指す。１５８８サービスがＩＰにおいて伝送されないと、デフォルト値０を使用する。
該属性は読み取り可能で、管理エンティティを作成する際に設定され、ＩＰ伝送に対して強制的であり、２バイトで示される。
【００４４】
前記通信方式(Transit mode)は、ユニキャスト、マルチキャストに分けられる。
該属性は０ｘ１であると、ユニキャスト通信を表し、
該属性は０ｘ２であると、マルチキャスト通信を表し、
該属性は読み取り可能で、書き込み可能であり、管理エンティティを作成する際に設定され、強制的であり、１バイトで示される。
【００４５】
前記ＴＣＩでは、該属性はＰＴＰサービスtag情報を表し、１５８８サービスがラベルポリシーを要求すると、該属性はラベル制御情報を指定し、ＶＬＡＮ値、優先順位及びＣＦＩ位を含む。
該属性は読み取り可能で、書き込み可能で、選択可能であり、２バイトで示される。
【００４６】
前記同期ステップ数(Synchronization step)では、該属性は同期ステップ数を表し、ＰＴＰ同期は、１ステップと２ステップに分けられる。
該属性は０ｘ１であると、１ステップ同期を表し、
該属性は０ｘ２であると、２ステップ同期を表し、
該属性は読み取り可能で、書き込み可能であり、管理エンティティを作成する際に設定され、強制的であり、１バイトで示される。
【００４７】
前記ＰＴＰ優先度(PTP priority)では、best master clock(ＢＭＣと略称する)アルゴリズムを実行する際に使用する。priority １とpriority ２を含み、取る値の範囲はいずれも０〜２５５である。２つのバイトで示され、前のバイトはpriority １であり、次のバイトはpriority ２である。
該属性は読み取り可能で、書き可能であり、管理エンティティを作成する際に設定され、強制的であり、２バイトで示される。
【００４８】
前記クロック品質(Clock Class)では、値が０〜２５５である。
該属性は読み取り可能で、書き可能であり、管理エンティティを作成する際に設定され、強制的であり、1バイトで示される。
【００４９】
前記操作タイプにおける警告(Alarm)設定を、表２に示す。
【００５０】
【表２】
0006419947.tif 000003
【００５１】
なお、本発明の実施例において、以上の前記ＰＴＰ管理エンティティ属性、操作の具体的な設定は、以上で説明したものを含むが、これらに制限されなく、例えば、バイト長さ、名称の選択、エンティティ属性設定の順序等は、その他の設定を行ってもよい。
【００５２】
一つの実施例において、本発明の実施例において、該方法は、
システム運用過程において、ＰＴＰサービスタイプを変える必要があると、前記ＯＮＵは、ＯＬＴが送信した、前記ＯＬＴにより設定された新しいＰＴＰ管理エンティティ属性を受信することと、ＯＮＵは、前記ＯＬＴが送信した新しいＰＴＰ管理エンティティ属性を解析して、前記新しいＰＴＰ管理エンティティ属性に基づいて、新しいＰＴＰサービスの設定を行うこととを更に含む。
【００５３】
本発明の実施例は、ＯＮＵ ＰＴＰサービスをリモート設定する方法を更に提供し、図３に示すように、該方法は、以下のステップ３０１〜３０３を含む。
【００５４】
ステップ３０１： ＯＮＵは、初期化を行った後に、ＰＴＰ管理エンティティを作成する。
【００５５】
ステップ３０２： ＯＬＴは、前記ＰＴＰ管理エンティティ属性を設定して、前記ＰＴＰ管理エンティティ属性を前記ＯＮＵに送信する。
【００５６】
ステップ３０３： 前記ＯＮＵは、前記ＰＴＰ管理エンティティ属性を受信して解析し、且つ前記ＰＴＰ管理エンティティ属性に基づいて、対応するＰＴＰサービスの設定を行う。
【００５７】
ステップ３０１〜３０３の詳細な説明は、図２に記載の方法と同様であり、ここでは繰り返して説明しない。
【００５８】
ここで、前記ＯＮＵは、１つ又は複数のＰＴＰ管理エンティティを作成することができ、具体的にＯＮＵがサポートするＰＴＰポート数に関連する。
【００５９】
一つの実施例において、本発明の実施例に記載の方法は、ＯＬＴは、ＰＴＰ管理エンティティの操作タイプを設定して、前記ＯＮＵに送信することを更に含む。前記操作タイプは、問い合わせ(Get)、設定(Set)及び警告(Alarm)を含む。
【００６０】
一つの実施例において、本発明の実施例に記載の方法は、
システム運用過程において、ＰＴＰサービスタイプを変える必要があると、前記ＯＬＴは、新しいＰＴＰ管理エンティティ属性を設定して、前記ＯＮＵに送信することと、前記ＯＮＵは、前記ＯＬＴが送信した新しいＰＴＰ管理エンティティ属性を受信して解析し、且つ前記新しいＰＴＰ管理エンティティ属性に基づいて、新しいＰＴＰサービスの設定を行うこととを更に含む。
【００６１】
本発明の実施例は、ＯＮＵ ＰＴＰサービスをリモート設定する方法を更に提供し、図４に示すように、該方法は以下のステップ４０１〜４０２を含む。
【００６２】
ステップ４０１：  ＯＬＴは、ＯＮＵが初期化して、ＰＴＰ管理エンティティを作成した後に、前記ＰＴＰ管理エンティティ属性を設定する。
【００６３】
ステップ４０２： 前記ＯＬＴは、前記ＰＴＰ管理エンティティ属性を前記ＯＮＵに送信する。
【００６４】
前記ＰＴＰ管理エンティティ属性は、前記ＯＮＵによって受信されて解析された後に、前記ＯＮＵが対応のＰＴＰサービス設定を行う依拠とされる。
【００６５】
ステップ４０１、４０２の詳細な説明は、図２に記載の方法と同様であり、ここでは繰り返して説明しない。
【００６６】
一つの実施例において、本発明の実施例において、該方法は、
前記ＯＬＴは、前記ＰＴＰ管理エンティティの操作タイプを設定して、前記ＯＮＵに送信することを更に含む。
【００６７】
一つの実施例において、本発明の実施例において、該方法は、
システム運用過程において、ＰＴＰサービスタイプを変える必要があると、前記ＯＬＴは、新しいＰＴＰ管理エンティティ属性を設定して、前記ＯＮＵに送信することを更に含み、
前記新しいＰＴＰ管理エンティティ属性は、前記ＯＮＵによって受信されて解析された後に、前記ＯＮＵが新しいＰＴＰサービス設定を行う依拠とされる。
【００６８】
本発明の実施例は、ＯＮＵがＧＰＯＮ登録、正常的なオンラインを完成して、ＯＭＣＩチャンネルを確立した後に、ＯＬＴ側にＯＮＵ精密時間同期サービスの設定を完成することができ、ＯＭＣＩによるＰＴＰサービスのリモート設定を実現する。且つ、ＯＮＵ帯域管理ＩＰ設定を必要としなく、ＩＰアドレスリソースを節約する。また、本発明の実施例に記載の設定方法は維持及び管理が容易であり、バッチ設定を行いやすい。
【００６９】
以下、具体的なアプリケーションシーンによって、本発明の実施例に記載の方法について詳細に説明する。
【００７０】
実施例１
本実施例において、ＯＮＵを三層のＩＰマルチキャストモードに設定する必要があり、以下の操作Ａ〜Ｄを実行する必要がある。
【００７１】
Ａ. ＯＮＵは、ＯＭＣＩプロトコル処理モジュールとＰＴＰ処理モジュールの初期化を行った後に、前記ＯＭＣＩプロトコル処理モジュールは、１つの１５８８又はＰＴＰ管理エンティティの実例を作成する。
【００７２】
Ｂ. ＯＬＴ内部のＯＭＣＩプロトコル処理モジュールは、前記ＰＴＰ管理エンティティに対応する属性を設定する。
ここで、前記設定したＰＴＰ管理エンティティに対応する属性は、以下の通りであり、
ＰＴＰ優先度とクロック品質を設定し、
ＰＴＰ状態属性をmasterに設定し、
ＰＴＰ管理状態イネーブルを設定し、
ＰＴＰ近端ＩＰと遠端ＩＰを設定し、
ＰＴＰ同期ステップ数を１ステップに設定し、
ＰＴＰ伝送タイプを三層のＩＰ/ＵＤＰに設定し、
通信方式をマルチキャストに設定する。
【００７３】
Ｃ. 前記ＯＬＴ内部のＯＭＣＩプロトコル処理モジュールは、SetメッセージによってＰＴＰ管理エンティティ属性を前記ＯＮＵに送信する。
【００７４】
Ｄ. ＯＮＵ内部のＯＭＣＩプロトコル処理モジュールは、ＯＬＴが送信したSetメッセージを受信した後に解析し、ＯＮＵ内部のＰＴＰ処理モジュールは、前記ＯＭＣＩプロトコル処理モジュールが解析して得られたＰＴＰ管理エンティティ属性に基づいて、対応するＰＴＰサービスの設定を行い、ＯＮＵ内部のＰＴＰ処理モジュールは、ＰＴＰサービス設定が成功であるか否かの結果を、ＯＮＵ内部のＯＭＣＩプロトコル処理モジュールに送信し、次に、前記ＯＭＣＩプロトコル処理モジュールは、設定結果をＯＭＣＩメッセージによってＯＬＴにフィードバックする。
ここで、前記ＰＴＰ処理モジュールの設定内容は以下の通りであり、
(１) ＰＴＰ優先度とクロック品質属性を設定し、
(２) ポートＰＴＰ状態属性をmasterに設定し、
(３) 同期ステップ数を１ステップに設定し、
(４) ＰＴＰ伝送タイプを三層のＩＰ/ＵＤＰに設定し、
(５) ＰＴＰの近端ＩＰを設定し、
(６) ＰＴＰ通信方式をマルチキャストに設定し、
(７) ＰＴＰの遠端ＩＰを設定し、
(８) ＰＴＰ管理状態をイネーブルする。
上記の設定内容(１)〜(４)は厳格な順序制限がなく、以上の設定ステップを含むが、これらに制限されない。
【００７５】
上記ＯＮＵの設定が完成した後に、ＰＴＰポートはＰＴＰパケットを送信し始め、相手側機器パケットとインタラクトすることによって同期を実現し、具体的な本発明の実施例は繰り返して説明しない。
【００７６】
実施例２
本実施例において、ＯＮＵを三層のＩＰユニキャストモードに設定する必要があり、以下の操作Ａ〜Ｄを実行する必要がある。
【００７７】
Ａ. ＯＮＵは、ＯＭＣＩプロトコル処理モジュールとＰＴＰ処理モジュールの初期化を行った後に、前記ＯＭＣＩプロトコル処理モジュールは、１つの１５８８又はＰＴＰ管理エンティティの実例を作成する。
【００７８】
Ｂ. ＯＬＴ内部のＯＭＣＩプロトコル処理モジュールは、前記ＰＴＰ管理エンティティに対応する属性を設定する。
ここで、前記設定したＰＴＰ管理エンティティに対応する属性は、以下の通りであり、
ＰＴＰ優先度とクロック品質を設定し、
ＰＴＰ状態属性をmasterに設定し、
ＰＴＰ管理状態イネーブルを設定し、
ＰＴＰ近端ＩＰと遠端ＩＰを設定し、
ＰＴＰ同期ステップ数を１ステップに設定し、
ＰＴＰ伝送タイプを三層のＩＰ/ＵＤＰに設定し、
通信方式をユニキャストに設定する。
【００７９】
Ｃ. 前記ＯＬＴ内部のＯＭＣＩプロトコル処理モジュールは、SetメッセージによってＰＴＰ管理エンティティ属性を前記ＯＮＵに送信する。
【００８０】
Ｄ. ＯＮＵ内部のＯＭＣＩプロトコル処理モジュールは、ＯＬＴが送信したSetメッセージを受信した後に解析し、ＯＮＵ内部のＰＴＰ処理モジュールは、前記ＯＭＣＩプロトコル処理モジュールが解析して得られたＰＴＰ管理エンティティ属性に基づいて、対応するＰＴＰサービスの設定を行い、ＯＮＵ内部のＰＴＰ処理モジュールは、ＰＴＰサービス設定が成功であるか否かの結果を、ＯＮＵ内部のＯＭＣＩプロトコル処理モジュールに送信し、次に、前記ＯＭＣＩプロトコル処理モジュールは、設定結果をＯＭＣＩメッセージによってＯＬＴにフィードバックする。
ここで、前記ＰＴＰ処理モジュールの設定内容は、以下の通りであり、
(１) ＰＴＰ優先度とクロック品質属性を設定し、
(２) ポートＰＴＰ状態属性をmasterに設定し、
(３) 同期ステップ数を１ステップに設定し、
(４) ＰＴＰ伝送タイプを三層のＩＰ/ＵＤＰに設定し、
(５) ＰＴＰの近端ＩＰを設定し、
(６) ＰＴＰ通信方式をユニキャストに設定し、
(７) ＰＴＰの遠端ＩＰを設定し、
(８) ＰＴＰ管理状態をイネーブルする。
上記の設定内容(１)〜(４)は厳格な順序制限がなく、以上の設定ステップを含むが、これらに制限されない。
【００８１】
実施例３
本実施例において、ＯＮＵを二層の(イーサネットパッケージ)マルチキャストモードに設定する必要があり、以下の操作Ａ〜Ｄを実行する必要がある。
【００８２】
Ａ. ＯＮＵは、ＯＭＣＩプロトコル処理モジュールとＰＴＰ処理モジュールの初期化を行った後に、前記ＯＭＣＩプロトコル処理モジュールは、１つの１５８８又はＰＴＰ管理エンティティの実例を作成する。
【００８３】
Ｂ. ＯＬＴ内部のＯＭＣＩプロトコル処理モジュールは、前記ＰＴＰ管理エンティティに対応する属性を設定する。
ここで、前記設定したＰＴＰ管理エンティティに対応する属性は以下の通りであり、
ＰＴＰ優先度とクロック品質を設定し、
ＰＴＰ状態属性をmasterに設定し、
ＰＴＰ管理状態イネーブルを設定し、
ＰＴＰの近端ＭＡＣと遠端ＭＡＣを設定し、
ＰＴＰ同期ステップ数を２ステップに設定し、
ＰＴＰ伝送タイプを二層のイーサネットに設定し、
通信方式をマルチキャストに設定する。
【００８４】
Ｃ. 前記ＯＬＴ内部のＯＭＣＩプロトコル処理モジュールは、SetメッセージによってＰＴＰ管理エンティティ属性を前記ＯＮＵに送信する。
【００８５】
Ｄ. ＯＮＵ内部のＯＭＣＩプロトコル処理モジュールは、ＯＬＴが送信したSetメッセージを受信した後に解析し、ＯＮＵ内部のＰＴＰ処理モジュールは、前記ＯＭＣＩプロトコル処理モジュールが解析して得られたＰＴＰ管理エンティティ属性に基づいて、対応するＰＴＰサービスの設定を行い、ＯＮＵ内部のＰＴＰ処理モジュールは、ＰＴＰサービス設定が成功であるか否かの結果を、ＯＮＵ内部のＯＭＣIプロトコル処理モジュールに送信し、次に、前記ＯＭＣＩプロトコル処理モジュールは、設定結果をＯＭＣＩメッセージによってＯＬＴにフィードバックする。
ここで、前記ＰＴＰ処理モジュールの設定内容は、以下の通りであり、
(１) ＰＴＰ優先度とクロック品質属性を設定し、
(２) ポートＰＴＰ状態属性をmasterに設定し、
(３) 同期ステップ数を２ステップに設定し、
(４) ＰＴＰ伝送タイプをＩＥＥＥ Ｓｔｄ ８０２.３イーサネットパッケージに設定し、
(５) ＰＴＰの近端ＭＡＣを設定し、
(６) ＰＴＰ通信方式をマルチキャストに設定し、
(７) ＰＴＰの遠端ＭＡＣを設定し、
(８) ＰＴＰ管理状態をイネーブルし、
上記の設定内容(１)〜(４)は厳格な順序制限がなく、以上の設定ステップを含むが、これらに制限されない。
【００８６】
上記ＯＮＵの設定が完成した後に、ＰＴＰポートはＰＴＰパケットを送信し始め、相手側機器パケットとインタラクトすることによって同期を実現し、具体的な本発明の実施例は繰り返して説明しない。
【００８７】
本発明の実施例は、ＯＮＵを更に提供し、図５に示すように、前記ＯＮＵ ５０は、ＯＭＣＩプロトコル処理モジュール５０１とＰＴＰ処理モジュール５０２を備える。
前記ＯＭＣＩプロトコル処理モジュール５０１は、ＯＮＵが初期化を行った後に、ＰＴＰ管理エンティティを作成し、ＯＬＴが送信した、前記ＯＬＴにより設定された前記ＰＴＰ管理エンティティ属性を受信して、解析するように設定される。
前記ＰＴＰ処理モジュール５０２は、前記ＯＭＣＩプロトコル処理モジュール５０１が解析して得られたＰＴＰ管理エンティティ属性に基づいて、対応するＰＴＰサービスの設定を行うように設定される。
【００８８】
実際に応用する際に、前記ＯＭＣＩプロトコル処理モジュール５０１とＰＴＰ処理モジュール５０２は、前記ＯＮＵ ５０における中央プロセッサ(Central Processing Unit、ＣＰＵ)、デジタル信号プロセッサ(Digital Signal Processor、ＤＳＰ)又はプログラマブルロジックアレー(Field−Programmable Gate Array、ＦＰＧＡ)によって実現することができる。
【００８９】
一つの実施例において、前記ＯＭＣＩプロトコル処理モジュール５０１は更に、ＯＬＴが送信した、前記ＯＬＴにより設定された前記ＰＴＰ管理エンティティの操作タイプを受信するように設定される。
【００９０】
一つの実施例において、システム運用過程において、ＰＴＰサービスタイプを変える必要があると、前記ＯＭＣＩプロトコル処理モジュール５０１は更に、前記ＯＬＴが送信した、前記ＯＬＴにより設定された新しいＰＴＰ管理エンティティ属性を受信して、解析するように設定され、
対応的に、前記ＰＴＰ処理モジュール５０２は更に、前記ＯＭＣＩプロトコル処理モジュール５０１が解析して得られた新しいＰＴＰ管理エンティティ属性に基づいて、新しいＰＴＰサービスの設定を行うように設定される。
【００９１】
本発明の実施例は、光回線端末ＯＬＴを更に提供し、図６に示すように、前記ＯＬＴ ６０は、ＯＭＣＩプロトコル処理モジュール６０１と送信モジュール６０２を備える。
前記ＯＭＣＩプロトコル処理モジュール６０１は、ＯＮＵ
が初期化して、ＰＴＰ管理エンティティを作成した後に、前記ＰＴＰ管理エンティティ属性を設定するように設定される。
前記送信モジュール６０２は、前記設定したＰＴＰ管理エンティティ属性を前記ＯＮＵに送信するように設定される。
前記ＰＴＰ管理エンティティ属性は、前記ＯＮＵによって受信されて解析された後に、前記ＯＮＵが対応のＰＴＰサービス設定を行う依拠とされる。
【００９２】
実際に応用する際に、前記ＯＭＣＩプロトコル処理モジュール６０１と送信モジュール６０２は、前記ＯＬＴ ６０におけるＣＰＵ、ＤＳＰ、又はＦＰＧＡによって実現することができる。
【００９３】
一つの実施例において、前記ＯＭＣＩプロトコル処理モジュール６０１は更に、前記ＰＴＰ管理エンティティの操作タイプを設定するように設定され、対応的に、
前記送信モジュール６０２は更に、前記設定したＰＴＰ管理エンティティの操作タイプを前記ＯＮＵに送信するように設定される。
【００９４】
一つの実施例において、システム運用過程において、ＰＴＰサービスタイプを変える必要があると、前記ＯＭＣＩプロトコル処理モジュール６０１は更に、新しいＰＴＰ管理エンティティ属性を設定するように設定され、対応的に、
前記送信モジュール６０２は更に、前記新しいＰＴＰ管理エンティティ属性を前記ＯＮＵに送信するように設定され、
前記新しいＰＴＰ管理エンティティ属性は、前記ＯＮＵによって受信されて解析された後に、前記ＯＮＵが新しいＰＴＰサービス設定を行う依拠とされる。
【００９５】
本発明の実施例は、ＯＮＵ ＰＴＰサービスをリモート設定するシステムを更に提供し、図７に示すように、該システムは上記のＯＮＵ ５０とＯＬＴ ６０を備える。
【００９６】
本発明の実施例は、ＯＮＵが、ＧＰＯＮ登録、正常的なオンラインを完成して、ＯＭＣＩチャンネルを確立した後に、ＯＬＴ側にＯＮＵ精密時間同期サービスの設定を完成することができ、ＯＭＣＩによるＰＴＰサービスのリモート設定を実現する。且つ、ＯＮＵ帯域管理ＩＰ設定を必要としなく、ＩＰアドレスリソースを節約する。また、本発明の実施例に記載の設定方法は維持及び管理が容易であり、バッチ設定を行いやすい。
【００９７】
当業者は、本発明の実施例が、方法、システム、又はコンピュータプログラム製品として提供されることができることを理解すべきである。したがって、本発明は、ハードウェア実施例、ソフトウェア実施例、又はソフトウェアとハードウェアを組み合わせた実施例の形式を採用することができる。且つ、本発明は、コンピュータ使用可能なプログラムコードを含む一つ又は複数のコンピュータ使用可能な記憶媒体（磁気ディスク記憶装置と光学式記憶装置等を含むが、これらに制限されない）で実施するコンピュータプログラム製品の形式を採用することができる。
【００９８】
本発明は、本発明の実施例による方法、デバイス（システム）、及びコンピュータプログラム製品のフローチャート及び/又はブロック図を参照して説明したとおりのものである。コンピュータプログラム命令により、フローチャート及び/又はブロック図における各プロセス及び/又はブロック、及びフローチャート及び/又はブロック図におけるプロセス及び/又はブロックの組み合わせを実現することができることを理解すべきである。これらのコンピュータプログラム命令を、汎用コンピュータ、専用コンピュータ、組み込みプロセッサ又はその他のプログラム可能なデータ処理デバイスのプロセッサに提供して１つの機器を生産し、コンピュータ又はその他のプログラム可能なデータ処理デバイスのプロセッサにより実行される命令によって、フローチャートの１つのプロセス又は複数のプロセス、及び/又はブロック図の１つのブロック又は複数のブロックに指定された機能を実現する装置を生成する。
【００９９】
これらのコンピュータプログラム命令も、コンピュータ又はその他のプログラム可能なデータ処理デバイスが特定の方式で動作するようにガイドするコンピュータ読み出し可能なメモリに記憶されることもでき、該コンピュータ読み出し可能なメモリに記憶される命令は、命令装置を含む製造品を生成し、該命令装置は、フローチャートの１つのプロセス又は複数のプロセス、及び/又はブロック図の１つのブロック又は複数のブロックに指定された機能を実現する。
【０１００】
これらのコンピュータプログラム命令は、コンピュータ又はその他のプログラム可能なデータ処理デバイスにロードされることもでき、コンピュータ又はその他のプログラム可能なデバイスに一連の操作ステップを実行させてコンピュータが実現する処理を生成し、それにより、コンピュータ又はその他のプログラム可能なデバイスに実行する命令は、フローチャートの１つのプロセス又は複数のプロセス、及び/又はブロック図の１つのブロック又は複数のブロックに指定された機能を実現するためのステップを提供する。
【０１０１】
上記は本発明の好ましい実施例であるに過ぎず、本発明の保護範囲を限定するためのものではない。
【図１】
0006419947.tif 000004
【図２】
0006419947.tif 000005
【図３】
0006419947.tif 000006
【図４】
0006419947.tif 000007
【図５】
0006419947.tif 000008
【図６】
0006419947.tif 000009
【図７】
0006419947.tif 000010